(57)【要約】      （修正有）【課題】空間の高さを感じることのできる住宅構造を提供する。【解決手段】住宅１は、勾配屋根２と、勾配屋根の下階かつ妻側に位置し、勾配屋根の裏面６２と対向する床部を含む半屋外空間６と、互いに間隔をあけて、半屋外空間の床部から勾配屋根の裏面にまで延び、高さの異なる複数の柱部４と、勾配屋根の下階において半屋外空間と隣接し、勾配屋根の裏面を天井面とする屋内空間と、半屋外空間と屋内空間とを仕切る仕切り部５とを備え、仕切り部５は、上端縁が勾配屋根の裏面にまで延びる透光面５１を含む。【選択図】図１
2014190030.tif 000002
【特許請求の範囲】
【請求項１】
勾配屋根と、
前記勾配屋根の下階かつ妻側に位置し、前記勾配屋根の裏面と対向する床部を含む半屋外空間と、
互いに間隔をあけて、前記半屋外空間の前記床部から前記勾配屋根の前記裏面にまで延びる、高さの異なる複数の第１柱部と、
前記勾配屋根の下階において前記半屋外空間と隣接し、前記勾配屋根の前記裏面を天井面とする屋内空間と、
前記半屋外空間と前記屋内空間とを仕切る仕切り部とを備え、
前記仕切り部は、上端縁が前記勾配屋根の前記裏面にまで延びる透光面を含む、住宅構造。
【請求項２】
前記半屋外空間は、前記勾配屋根の頂部を含む位置に配置されている、請求項１に記載の住宅構造。
【請求項３】
前記複数の第１柱部のうちの１つは、その上端が前記頂部にまで延びている、請求項２に記載の住宅構造。
【請求項４】
前記透光面は、下端縁が前記床部まで延びている、請求項２または３に記載の住宅構造。
【請求項５】
前記仕切り部は、前記頂部から前記床部まで延びる第２柱部をさらに含み、
前記透光面は、前記第２柱部によって左右に分割されている、請求項４に記載の住宅構造。
【請求項６】
前記複数の第１柱部は、等間隔で配置されている、請求項１〜５のいずれかに記載の住宅構造。
【請求項７】
前記屋内空間の前記天井面には、前記勾配屋根の下地材が露出される、請求項１〜６のいずれかに記載の住宅構造。
【発明の詳細な説明】
【技術分野】
【０００１】
本発明は、半屋外空間を備えた住宅の構造に関する。
【背景技術】
【０００２】
居室空間の屋外側に、開口部を介して半屋外空間が設けられた住宅が存在する。特開２０１２−１８９１号公報（特許文献１）、特開２０１２−１８９２号公報（特許文献２）および特開２０１２−２５１４２３号公報（特許文献３）では、このような住宅において、開口部近傍空間の床面と半屋外空間の床面とを略同じ高さレベルに揃えることや、開口部近傍空間の天井面と半屋外空間の軒裏面とを略同じ高さレベルに揃えることが開示されている。また、居室空間と半屋外空間との境界部分に位置する開口部を大開口とし、半屋外空間の屋根部を十分に張出すようにすることで、居室空間内での心地良さを高めることが開示されている。
【０００３】
また、半屋外空間は、勾配屋根を備えた住宅に設けられることもある。たとえば特開平１１−２７００４３号公報（特許文献４）では、棟の端部と妻側の軒先および桁側の軒先が交差する点とを結ぶ２本の稜線で構成される棟の端部を起点とした略逆Ｖ字状の屋根側面に、開口が設けられ、この開口の下方にバルコニーの床が設けられることが開示されている。このバルコニーは、切妻屋根の小屋裏空間に隣接している。
【先行技術文献】
【特許文献】
【０００４】
【特許文献１】特開２０１２−１８９１号公報
【特許文献２】特開２０１２−１８９２号公報
【特許文献３】特開２０１２−２５１４２３号公報
【特許文献４】特開平１１−２７００４３号公報
【発明の概要】
【発明が解決しようとする課題】
【０００５】
上述のように、特許文献４では、勾配屋根を備えた住宅において、勾配屋根の裏面を天井面とする居室空間およびバルコニーが開示されている。しかしながら、その居室空間は小屋組で囲まれた小屋裏空間であるため、その高さは非常に制限されたものである。また、勾配屋根の下階に屋内空間（居住空間）および半屋外空間を有する住宅においても、その天井面は小屋組の小屋梁部分に形成されるため水平に配置される。したがって、屋内空間および半屋外空間のいずれにおいても空間の高さは感じられない。
【０００６】
本発明は、上記のような課題を解決するためになされたものであって、その目的は、空間の高さを感じることのできる住宅構造を提供することである。
【課題を解決するための手段】
【０００７】
この発明のある局面に従う住宅構造は、勾配屋根と、勾配屋根の下階かつ妻側に位置し、勾配屋根の裏面と対向する床部を含む半屋外空間と、互いに間隔をあけて、半屋外空間の床部から勾配屋根の裏面にまで延びる、高さの異なる複数の第１柱部と、勾配屋根の下階において半屋外空間と隣接し、勾配屋根の裏面を天井面とする屋内空間と、半屋外空間と屋内空間とを仕切る仕切り部とを備える。仕切り部は、上端縁が勾配屋根の裏面にまで延びる透光面を含む。
【０００８】
好ましくは、半屋外空間は、勾配屋根の頂部を含む位置に配置されている。
【０００９】
好ましくは、複数の第１柱部のうちの１つは、その上端が頂部にまで延びている。
【００１０】
好ましくは、透光面は、下端縁が床部まで延びている。
【００１１】
好ましくは、仕切り部は、頂部から床部まで延びる第２柱部をさらに含み、透光面は、第２柱部によって左右に分割されている。
【００１２】
好ましくは、複数の第１柱部は、等間隔で配置されている。
【００１３】
好ましくは、屋内空間の天井面には、勾配屋根の下地材が露出される。
【発明の効果】
【００１４】
本発明によれば、半屋外空間の床部から勾配屋根の裏面にまで延びる複数の柱部が備えられるため、空間の高さが強調される。その結果、屋内または半屋外空間に居るときだけでなく外観においても、空間の高さを感じることができる。
【図面の簡単な説明】
【００１５】
【図１】本発明の実施の形態に係る住宅の外観を模式的に示す図である。
【図２】本発明の実施の形態に係る住宅の構造例を模式的に示す図である。
【図３】本発明の実施の形態に係る住宅の他の構造例を模式的に示す図である。
【発明を実施するための形態】
【００１６】
本発明の実施の形態について図面を参照しながら詳細に説明する。なお、図中同一または相当部分には同一符号を付してその説明は繰返さない。
【００１７】
本実施の形態に係る住宅は、勾配屋根を備えている。一般的な勾配屋根では、その下階の天井部は、小屋組の小屋梁の部分に水平に配置される。これに対し、本実施の形態では、勾配屋根の勾配に沿って、勾配屋根の下階の天井部が設けられる。
【００１８】
本実施の形態において「勾配屋根」とは、勾配を有する屋根であればよく、切妻屋根、片流れ屋根、および、マンサード屋根などを含む。また、「勾配屋根の下階」とは、２階建ての住宅の場合は２階、１階建ての住宅の場合は１階を表わす。
【００１９】
以下に、本実施の形態に係る住宅の構造について詳細に説明する。
【００２０】
図１は、本発明の実施の形態に係る住宅１の外観を模式的に示す図である。図２は、本発明の実施の形態に係る住宅１の構造例を模式的に示す図である。
【００２１】
図１および図２を参照して、本実施の形態に係る住宅１は、２階建てであり、切妻屋根２と、切妻屋根２の下方に位置する屋内空間３と半屋外空間６とを備えている。これらの空間３，６は、２階部分（下階）に位置する空間であり、隣接して設けられている。半屋外空間６は、切妻屋根２の妻側に位置する。妻側とは、屋根の勾配が表れる側である。半屋外空間６は、妻側の外壁７よりも奥まった位置に形成されたインナーバルコニー空間である。なお、住宅が１階建の場合には、半屋外空間はたとえばテラス空間であってよい。
【００２２】
半屋外空間６の床部６１は、切妻屋根２の裏面である天井面６２ａと対向している。同様に、屋内空間３の床部３１は、切妻屋根２の裏面である天井面３２ａと対向している。したがって、屋内空間３の床部３１から天井部３２のうち切妻屋根２の頂部２０に対応する部分までの高さは、一般的な住宅の屋内空間の高さよりもはるかに高いものとなる。頂部２０とは、切妻屋根２の棟木２１が配置される部分に相当する。
【００２３】
図２に示されるように、屋内空間３と半屋外空間６とは、仕切り部５によって仕切られている。仕切り部５は、ほぼ一面に透光面５１を含んでいる。つまり、透光面５１は、上端縁が切妻屋根２の裏面（天井面３２ａ，６２ａ）にまで延び、かつ、下端縁が床部３１，６１まで延びている。透光面５１は、典型的には透明または半透明の窓である。なお、上端縁、下端縁のいずれも、完全な端縁を意味するものではなく、端縁付近も含むものとする。
【００２４】
仕切り部５は、また、柱部５２および梁５３を含んでいる。柱部５２は、切妻屋根２の頂部２０から床部３１，６１まで延びている。梁５３は、柱部５２と直交して左右方向に延びている。透光面５１は、柱部５２によって左右方向に分割されているとともに、梁５３によって上下方向にも分割されている。梁５３よりも少なくとも下方側の透光面５１は、たとえば左右方向にスライド可能な複数の窓で構成されていることが望ましい。
【００２５】
上記のような構造とされることで、切妻屋根２の勾配を生かした縦に延びる屋内空間３が、半屋外空間６を介して空とつながる光溢れる居住空間（寛ぎ空間）となる。また、屋内空間３の天井面３２ａには、切妻屋根２の下地材である棟木２１および複数の登り梁２２が露出されている。このように、切妻屋根２の下地材が露出されるため、屋内空間３において、木造の構造体（木組）を楽しむことができるため、癒し効果が生じる。
【００２６】
ここで、本実施の形態では、半屋外空間６と外部空間との境に、切妻屋根２の勾配に沿って、その床部６１から天井面６２ａにまで延びる複数の柱部４が配置されている。複数の柱部４は、互いに間隔をあけて配置されている。隣り合う柱部４間の間隔は、たとえば４５ｃｍ〜１００ｃｍであることが望ましい。本実施の形態のように、半屋外空間６が切妻屋根２の頂部２０を含む位置に配置されている場合、複数の柱部４のうちの１つは、その上端が頂部２０にまで延びるように配置されることが望ましい。また、この場合、他の柱部４は、最も高い柱部を中心として左右対称に配置されることが望ましい。したがって、複数の柱部４は、少なくとも隣り合う柱部との間でその高さが異なっている。
【００２７】
柱部４は、たとえば四角柱であり、柱部４の最も妻側（外部空間側）の面が、外壁７の妻側の面と略同一面（仮想面）上に位置するように配置されている。なお、柱部４および外壁７のどちらかの方が若干出っ張っていてもよい。柱部４の外表面は、外壁７の外壁材とは異なる素材で覆われていることが望ましい。本実施の形態では、柱部４の外表面はタイル貼りされている。このように、柱部４は、重厚感とともにインテリア性も備えている。また、柱部４は、妻側の外壁７との素材または色のコントラストにより、縦方向のラインがより強調される。
【００２８】
本実施の形態に係る住宅１では、半屋外空間６はバルコニー空間であるため、半屋外空間６と外部空間との境には、手摺６５および壁部６６が配置されている。また、半屋外空間６側においても梁６７が設けられている。この梁６７は、屋内空間３の梁５３と同じ高さに設けられる。この場合、複数の柱部４は、手摺６５、壁部６６および梁６７を、間に挟み込むように設けられる。柱部４の桁方向の厚みは、手摺６５、壁部６６および梁６７の厚みよりも大きい。そのため、外観において、複数の柱部４が、床部６１から天井面６２ａにまで真直ぐ延びていることが分かる。これにより、外観において、半屋外空間６および屋内空間３の高さを感じることができる。また、半屋外空間６が、切妻屋根２の妻側において、頂部２０を含む位置に部分的に設けられるため、外観上において、切妻屋根２の大らかなラインに柱部４の縦のラインが映える。また、本実施の形態では、半屋外空間６にも梁６７が設けられたが、複数の柱部４を設けることで、梁６７をなくすこともできる。なお、本実施の形態では、１階部分の勾配屋根がバルコニーの壁部６６の部分に設けられているため、外観上、柱部４の下側の一部は見えていない。
【００２９】
また、本実施の形態では、１階部分の勾配屋根の桁側に、同一高さの複数の壁柱１０４が設けられている。柱部４の組と壁柱１０４の組とは、その長さおよび上端のラインが異なるため、これらが対比されることにより、柱部４が、より高く、空へと延びる感覚がもたらされる。
【００３０】
さらに、半屋外空間６の最も屋外側に、複数の柱部４が互いに間隔をあけて設けられている。そのため、仕切り部５全体に透光面５１が設けられた場合であっても、外部から屋内空間３を適度に隠すことができる。このように、屋内空間３が緩く囲われることで、プライバシーが適度に守られるとともに、夏の日差しを快適に和らげることができる。その結果、屋内空間３のどこにいても心地よく快適に過ごすことができる。
【００３１】
上述のように、本実施の形態では、切妻屋根２の小屋裏空間が、下階における居住空間の一部として利用される。そのためには、住宅１の屋内空間３の天井部３２自体が断熱材を有していることが望ましい。勾配屋根を有する一般的な住宅では、水平に配置された天井部に断熱材が設けられている。
【００３２】
住宅１の断熱工法としては、具体的にはたとえば「外張り基礎断熱工法」が採用されているものとする。「外張り基礎断熱工法」では、切妻屋根２の天井部３２が遮熱フィルム付の断熱材で覆われるとともに、基礎（図示せず）および外壁７の断熱材の外側が遮熱透湿防水シートで覆われる。これにより、住宅１内に侵入する輻射熱が遮られて住宅１の遮熱効果が高められる。このような断熱工法が採用されることで、切妻屋根２の下階の天井を、切妻屋根２の勾配に沿った天井部３２としても、一年中快適に過ごすことができる。
【００３３】
なお、本実施の形態では、屋内空間３の床部３１と半屋外空間６の床部６１とは、段差なく面一形状とされているが、床部３１，６１の高さは異なっていてもよい。あるいは、屋内空間３の仕切り部５付近に、吹き抜けや階段が設けられ、床部３１，６１が離間して設けられてもよい。
【００３４】
また、本実施の形態では、屋内空間３における１対の壁３３，３４と、半屋外空間６の壁６３，６４とが分断された例を示したが、これらは連続するように設けられてもよい。図３は、本発明の実施の形態に係る住宅１の他の構造例を模式的に示す図である。なお、図３では、複数の柱部４の図示が省略されている。
【００３５】
図３に示されるように、屋内空間３の１対の壁３３，３４は、仕切り部５の透光面５１を超えて、半屋外空間６にまで段差なく延びることで、半屋外空間６の１対の壁６３，６４を形成している。これにより、屋内空間３と半屋外空間６とを含めた空間を、立体的なつながりを持った大空間として演出することもできる。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３７】
１  住宅、２  切妻屋根、３  屋内空間、４  柱部、５  仕切り部、６  半屋外空間、７  外壁、２０  頂部、２１  棟木、２２  登り梁、３１、６１  床部、３２，６２  天井部、３３，３４，６３，６４，６６  壁部、５１  透光面、５２  柱部、５３，６７  梁、６５  手摺、１０４  壁柱。
【図１】
2014190030.tif 000003
【図２】
2014190030.tif 000004
【図３】
2014190030.tif 000005